(57)【特許請求の範囲】
【請求項１】
一端に、固定部（２）を設けた、弾性を有する透明な細い合成樹脂線（１）と、「Ｕ」字型に折り曲げられて形成された２つの対向する平面部に、下方へ向けて、折り曲げ背部（６）側へ近付くように傾斜した貫通長溝（４）を設けたフック金具（３）と、この２つの平面の貫通長溝（４）を貫通して上端が抜止め部（９）と、他端が下方へ曲がり、その先端が「Ｊ」字型に曲げられたフック（８）から成り、透明な合成樹脂線（１）がフック金具（３）の折り曲げ背部（６）とフック（８）によって挟まれるようにした吊り下げ装置。
【請求項２】
請求項１の吊り下げ装置において、フック金具（３）の折り曲げ背部（６）に摩擦抵抗部を設けたことを特徴とする吊り下げ装置。
【請求項３】
請求項２の吊り下げ装置において、摩擦抵抗部は複数の貫通穴（７）から成ることを特徴とする吊り下げ装置。
【請求項４】
請求項２の吊り下げ装置において、摩擦抵抗部は内面に突出する複数の凹凸から成るものであることを特徴とする吊り下げ装置。
【請求項５】
請求項１から４のいずれか１項記載の吊り下げ装置において、フック（８）の抜止め部（９）の近くの、合成樹脂線との圧接部分において複数の凹凸を設けて成るものであることを特徴とする吊り下げ装置。
【請求項６】
請求項１から５のいずれか１項記載の吊り下げ装置において、フック金具（３）の上部の背部（６）の一部を溝で解放しその内壁面幅が合成樹脂線の直径よりも狭くなるようにした押し挟み部（５）を設けたものであることを特徴とする吊り下げ装置。
【請求項７】
請求項１から６いずれか１項記載の吊り下げ装置において、合成樹脂線は弾性を有する直径３ミリ以下の透明な合成樹脂線であって、フック金具（３）の折り曲げ背部（６）とフック（８）によって挟まれると、合成樹脂線が窪み変形するようにした吊り下げ装置であることを特徴とする吊り下げ装置。
【発明の詳細な説明】
【０００１】
【発明の属する技術】
この発明は額縁や壁掛け時計や装飾品などを壁面や空間に吊り下げる装置に関する。
【０００２】
【従来の技術】
（Ａ）壁面や空間にそれらの物品を吊り下げるために、ステンレス線材を用いたり、合成樹脂被覆された鉄線を用いるなどして、その両端を「Ｊ」字型のフック状に曲げた吊り下げ装置が知られている。
【０００３】
（Ｂ）別の例では、金属帯板の上端に桟木などへの固定ねじ用の取付け穴を設け、中央あたりから下端へ向けていくつかの貫通穴を設け、別に用意するフック金具の、上端にこれらの貫通穴のいずれかに引っ掛ける爪を設け、下端を「Ｊ」字型に曲げ、このフック金具を任意の貫通穴に引っ掛けて、吊り下げ高さを自在に選択できるようにした装置が知られている。
【０００４】
（Ｃ）別の例では、細い金属線をより合わせたワイヤーと、別に用意するフック金具は、円柱状で内部がほぼ空洞の本体と、このワイヤーを上下に挿通させる穴を中心部に設け、内部の壁面はわずかに傾斜しており、中心部の周囲に複数の金属球をスプリングで押すようにして配置し、かつ金属球を解放するレバーと、その下端に「Ｊ」字型のフックを設けた構造から成り、ワイヤーを挿通させた後、金属球の解放とスプリングによる押し付けによってフック金具の移動と固定を自由に行えるようにして、吊り下げ高さを自在に選択できるようにした装置が知られている。
【０００５】
（Ｄ）別の例では、合成樹脂で所要径を有する棒状の本体上端に固定具を、また本体の長手方向に摺動させて任意の位置に固定できる金具を設けて、棒状の本体の両端を抜け止めとなるように太径とし、金具はフック金具と掛具の２つから成り、各々異なる方向に重なるテーパ状の長孔形の係合孔を有し、この係合孔に入れる球とから成る装置が知られている。
【０００６】
【発明が解決しようとする課題】
（Ａ）従来のステンレス線や合成樹脂被覆鉄線の両端を曲げたものは、量産容易で安価であるが、予め曲げられた両端の位置または長さ以外では、吊り下げ高さを選択することができないという問題がある。
【０００７】
（Ｂ）金属帯板を用いたものは、比較的安価に量産できるが、吊り下げ高さをかなり自由に選択できるとはいえ、複数設けた貫通穴の位置に限定され、しかも壁面に天井桟木から吊り下げると帯板が「目立つ」こととなり、美観上好まれないという問題がある。
【０００８】
（Ｃ）より合わせたワイヤーと金属球やスプリングから構成されるフック金具を用いた吊り下げ装置は、吊り下げ高さをまったく自由に選択することができるが、そのフック金具の構造上、量産が前の２つの例に挙げたものに比べると困難で、かなり高価になるという問題がある。
【０００９】
（Ｄ）フック金具と掛具の２つから成り、各々異なる方向に重なるテーパ状の長孔形の係合孔を有する装置を用いたものは、吊り下げ高さをまったく自由に選択することができ、スプリングを用いない構造により、量産は（Ｃ）の例に比べると比較的に容易であるが次に述べる問題が残る。
【００１０】
（Ｂ）の例を除くと、１本の吊り下げ装置の中間にフックを追加することは困難である。（Ｃ）の場合はフックをワイヤーの下端から予め挿入しておく必要があるし、ワイヤーの下端を床面に固定したような場合には挿入もできない。（Ｄ）の場合は下端を抜け止めとなるよう太径にしているために、フックを挿入できないという問題がある。
【００１１】
また、従来例では天井から壁面に鉄線や帯板やワイヤーや棒体が垂れ下がることになり、目立ち、美観上の問題がある。
【００１２】
そこで、本発明の目的とするところは、まず壁面で目立たず、つぎに吊り下げ高さが自由に選択でき、かつ任意の中間位置にフックを自由に追加でき、量産容易な吊り下げ装置を提供することにある。
【００１３】
【課題を解決するための手段】
上記のような課題を解決するため、請求項１の発明は、一端に、固定部（２）を設けた、弾性を有する透明な細い合成樹脂線（１）と、「Ｕ」字型に折り曲げられて形成された２つの対向する平面部に、下方へ向けて、折り曲げ背部（６）側へ近付くように傾斜した貫通長溝（４）を設けたフック金具（３）と、この２つの平面の貫通長溝（４）を貫通して上端が抜止め部（９）と、他端が下方へ曲がり、その先端が「Ｊ」字型に曲げられたフック（８）から成り、透明な合成樹脂線（１）がフック金具（３）の折り曲げ背部（６）とフック（８）によって挟まれるようにした吊り下げ装置である。
【００１４】
請求項２の発明は、請求項１の吊り下げ装置において、フック金具（３）の折り曲げ背部（６）に摩擦抵抗部を設けたものである。
【００１５】
請求項３の発明は、請求項２の吊り下げ装置において、摩擦抵抗部は複数の貫通穴（７）から成るものである。
【００１６】
請求項４の発明は、請求項２の吊り下げ装置において、摩擦抵抗部は内面に突出する複数の凹凸から成るものである。
【００１７】
請求項５の発明は、請求項１から４のいずれか１項記載の吊り下げ装置において、フック（８）の抜止め部（９）の近くの、合成樹脂線との圧接部分において複数の凹凸を設けて成るものである。
【００１８】
請求項６の発明は、請求項１から５のいずれか１項記載の吊り下げ装置において、フック金具（３）の上部の背部（６）の一部を溝で解放しその内壁面幅が合成樹脂線の直径よりも狭くなるようにした押し挟み部（５）を設けたものである。
【００１９】
請求項７の発明は、請求項１から６いずれか１項記載の吊り下げ装置において、合成樹脂線は弾性を有する直径３ミリ以下の透明な合成樹脂線であって、フック金具（３）の折り曲げ背部（６）とフック（８）によって挟まれると、合成樹脂線が窪み変形するようにした吊り下げ装置であるものである。
【００２０】
【発明の実施の形態】
以下、この発明の実施の形態を図示例と共に説明する。
【００２１】
図１に示す実施形態の吊り下げ装置は、一端に固定ねじ用の環状の固定部（２）を設けた透明な直径３ミリ以下の細い合成樹脂線（１）と、「Ｕ」字型に折り曲げられて形成された２つの対向する平面部に、下方へ向けて、折り曲げ背部（６）側へ近付くように傾斜した貫通長溝（４）を設け、折り曲げ背部（６）には複数の貫通穴（７）を摩擦抵抗部として設けたフック金具（３）と、この２つの平面の貫通長溝（４）を貫通して上端を拡大頭部とした抜止め部（９）となり、他端が下方へ曲がり、その先端が「Ｊ」字型に曲げられたフック（８）から成り、透明な合成樹脂線（１）がフック金具（３）の折り曲げ背部（６）とフック（８）によって挟まれると、窪み変形するようにした吊り下げ装置である。
【００２２】
折り曲げ背部（６）の摩擦抵抗部は図示の複数の貫通穴（７）の他、内面に突出する複数の凹凸を形成したものでもよい。
【００２３】
合成樹脂線（１）の一端に設ける固定部（２）は図では、金属製の穴付き円盤をカシメて固定した例を示しているが、合成樹脂線（１）自体を「Ｕ」字状に折り曲げて金属環などで結束したものであってもよいし、溝を有する桟木などに固定する場合は、溝へ嵌合する爪を設けたものであってもよい。
【００２４】
この吊り下げ装置を使用する際は、まず合成樹脂線の一端の固定部（２）を天井近くの桟木などにねじを用いて固定し、合成樹脂線（１）を垂れ下げ、フック（８）を上方へ引き上げる。そのようにすると、傾斜した貫通長溝（４）によってフック（８）は背部（６）から離れる方向へ移動し、これによって合成樹脂線（１）は解放されて、フック金具（３）を上下自由な位置に移動することができる。
【００２５】
位置を決めると、つぎにフック（８）を下方へ引き下げるが、その時はフック金具（３）が完全に移動自由であると金具自体がフックの引き下げと共に下方へ下がるので、フック金具（３）は指で位置を固定しておいて、フック（８）を引き下げるようにする。
【００２６】
フック（８）を引き下げると、合成樹脂線（１）はフック金具の背部（６）とフック（８）によって挟み込まれ、フック（８）に額縁などを掛けると下方へさらに力が加わり挟持され、合成樹脂線はその弾性によって窪み、強く固定される。背部に図１、２に示すような複数の小さな貫通穴（７）を設けると、弾性を有する合成樹脂線はこの穴に食い込むように変形して摩擦固定はさらに強くなる。また、他の実施例として、背部に内面に突出する複数の凹凸を形成すると、同様にして摩擦固定はさらに強くなる。凹凸はヤスリ状の面などが選択できる。
【００２７】
また、フック（８）の抜止め部（９）の近くの軸の、合成樹脂線との圧接部分において、転造などの手段を用いて複数の凹凸を設けることにより、フック（８）と合成樹脂線（１）との摩擦抵抗を強くすることもできる。
【００２８】
フック金具（３）の上端に、その内壁面幅が合成樹脂線の直径よりも狭くなるようにした押し挟み部（５）を設けることによって、フック金具は常に合成樹脂線を常に挟んで支持することになるので、フック（８）を下方へ引き下げる時に、フック金具（３）を指で挟み固定しておく必要がなくなるか、軽い力で固定することができる。押し挟み部は図２に示すように、背部（６）の一部を溝で解放し、部分的に狭い幅に形成することで得ることができる。
【００２９】
フック金具（３）を合成樹脂線（１）の中間の任意の位置に追加する場合は、フック（８）を傾斜した貫通長溝（４）から抜き取った状態で合成樹脂線（１）を抱くように嵌めて、ついでフック（８）を元の貫通長溝（４）に挿入すると容易に追加することができる。こうすることでフックを追加できるので、合成樹脂線（１）の下端を床面に固定したり、下端に抜け止め具を取り付けたりした後でも、追加はまったく問題がなくおこなえる。フック（８）の端部に着脱のできるキャップを取り付けるなどの手段を選択することは本発明の機能を妨げない。
【００３０】
フック金具（３）は、金属板をプレス製法で容易に量産することが可能であり、フック（８）もまた線材加工で量産容易であり、かつフック金具とフックの組み合わせも、スプリングやカシメ加工などを要しないので、特殊な工具を必要とせず、低コストでの量産が可能である。フック（８）を常に下方へ押し下げるスプリング機構を付加することは妨げないが、量産の容易性を減ずることになる。
【００３１】
【発明の効果】
以上のように、この発明によると、吊り下げ高さが自由に選択でき、中間にフックを自由に追加でき、量産容易で、かつ、壁面で目立たない吊り下げ装置を提供することができる。
【図面の簡単な説明】
【図１】本発明の部分断面図である。
【図２】本発明の斜視図である。
【図３】従来の吊り下げ装置（Ａ）（Ｂ）（Ｃ）（Ｄ）を示す参考図である。
【符号の説明】
１．透明な細い合成樹脂線
２．固定部
３．フック金具
４．貫通長溝
５．押し挟み部
６．折り曲げ背部
７．貫通穴
８．フック
９．抜止め部
【図１】
0004374087.tif 000002
【図２】
0004374087.tif 000003
【図３】
0004374087.tif 000004